(57)【要約】【課題】  収納箱から粘着掃除具を取り出す時に取外具により連なった下部の粘着掃除具を分離させて意識する事無く剥離紙の剥離作業を行え、ボックスティッシュの様に最上部より一個づつ片手で簡単に取り出せる収納粘着掃除具とその取り出し方法を提供します。【解決手段】  収納箱（８）の取出口（６）の左右に設けた取外具（７）が、粘着掃除具（１）の取り出し時に粘着掃除具（１）に粘着された第二粘着掃除具（１１）の上昇を妨げて分離させ、最上部の粘着掃除具（１）だけを取出口（６）より簡単に取り出せます。【選択図】  図１
2008149058.tif 000002
【特許請求の範囲】
【請求項１】
筒形外側半面に粘着面を設けた空洞内部に指を挿入して本体を保持し、該粘着面に埃や塵を吸着させる掃除具において、取出口付近の左右に取外具を設けた収納箱に該掃除具の上面を剥離面、底面を粘着面とし、複数を扁平圧縮して収納した収納箱から上部の収納掃除具を取り出す時に掃除具の側面が左右の取外具に接触して連なった下部の収納掃除具を分離させ、最上部より一個づつ収納箱から取り出せる事を特徴とした収納粘着掃除具。
【請求項２】
収納箱内部の収納掃除具を取り出す時に、一時的に窪みが取外具に引っ掛かる様に本体掃除具の両側面に窪みを設けたことを特徴とした請求項１記載の収納粘着掃除具。
【請求項３】
収納箱内部の収納掃除具を取り出す時に、上部剥離部を手にして筒形本体側面の剥離面が左右の取外具に接触させ、連なる下部の収納掃除具を切り離して最上部の収納掃除具を取り出す事を特徴とした請求項１又は、請求項２記載の収納粘着掃除具の取り出し方法。
【発明の詳細な説明】
【技術分野】
【０００１】
本発明は、衣服等に付着した埃や糸屑、更に机上等に散乱した消しゴム粕やシャープペンシルの折れた芯等の塵などを粘着面に吸着させる使い捨て掃除具に関するものです。
【背景技術】
【０００２】
従来から粘着ロール紙や粘着ゴムロール等を用いた衣類やカーペット等の掃除具が既に商品化されております。しかし、ロール状では凹凸のある机上等では使用し難くく、また、カーペット等、床面掃除のイメージが強くて衣服の使用に抵抗が有るのが現状です。
【０００３】
その為、手軽な塵取り掃除用具として粘着シートや粘着紙を筒型にした掃除具は数々のものが考案され、一例として実開昭４９−１０３７６１号公報や実開昭５１−０７１６６９号公報、実開昭５３−１２１７５４号公報、実開昭５４−１７００６９号公報、実開昭５５−１０５０６０号公報など古くから現在に至るまで数多く考案されていますが、何れも粘着面を用いて剥離紙で保護している為、使用時に常に両手を使って剥離紙の剥離作業が生じ、その作業が面倒なせいか一般に普及して活用されるまでに至っておりません。
【特許文献１】実開昭４９−１０３７６１号公報
【特許文献２】実開昭５１−０７１６６９号公報
【特許文献３】実開昭５３−１２１７５４号公報
【特許文献４】実開昭５４−１７００６９号公報
【特許文献５】実開昭５５−１０５０６０号公報
【０００４】
また、手ごろな手段としてガムテープ等を適当な長さに切断し、粘着面を外側にして筒状に接続し、塵取り掃除用具として使用しますが幅の広いガムテープの切断には鋏等の道具を使用しないと筒状に接続し難く、また、使用後は筒状の形状を切断して粘着面同士を接着させてゴミ箱等に破棄させないとゴミ箱内部に粘着面が接着して取れなくて処分し難くなり、これもまた手ごろに使用する手段としては好ましくありません。
【発明の開示】
【発明が解決しようとする課題】
【０００５】
解決しようとする問題点は、従来の様に使用時に両手で粘着掃除具の粘着面から剥離紙を剥ぐ面倒な剥離作業を簡略化し、片手でも簡単に収納箱から粘着掃除具を取り出せて、同時に意識する事無く剥離作業を行い手軽に塵取り作業に入れる事を課題とします。
【課題を解決するための手段】
【０００６】
粘着掃除具（１）を収納しておく収納箱（８）の取出口（６）付近の任意の箇所に取外具（７）を設けて取出口（６）から粘着掃除具（１）を取り出す時に、粘着して連なっている粘着掃除具（１）の粘着面（５）と第二粘着掃除具（１１）の剥離面（１３）とを取外具（７）によって切り離し、意識する事なく剥離作業を行う事を主な特徴とします。
【発明の効果】
【０００７】
請求項１記載の本発明の収納粘着掃除具によれば、取出口（６）より収納箱（８）の中の粘着掃除具（１）の剥離部（２）を指（１９）で摘んで取り出すと、取外具（７）によって粘着掃除具（１）の粘着面（５）と第二粘着掃除具（１１）の剥離面（１３）が引き離され、意識する事無く粘着掃除具（１）の剥離作業ができるという利点があります。
【０００８】
また、同時に第二粘着掃除具（１１）の剥離部（１２）が取出口（６）の口元付近まで引き出されるので第二粘着掃除具（１１）が次の取り出し粘着掃除具となり、収納粘着掃除具が有る限りボックスティッシュの様に次々取り出し易くなるという利点が生じます。
【０００９】
請求項２記載の本発明の収納粘着掃除具によれば、粘着掃除具（１）に設けた窪み（１８）が取出口（６）付近の取外具（７）に引っ掛り、使用して収納箱（８）の中の粘着掃除具が残り少なくなって底部近くに沈みがちな最上部の粘着掃除具（１）の剥離部（２）が常に取出口（６）付近に有って、次回の使用時に取り出し易いという利点があります。
【００１０】
請求項３記載の本発明の収納粘着掃除具の取り出し方法によれば、収納箱（８）の取出口（６）付近に取外具（７）を設けて、ごく普通の取り出し作業だけで意識する事無く粘着掃除具（１）の剥離作業が行われ、誰でも簡単にボックスティッシュの様に次々と粘着掃除具を取り出せて、手軽るに衣服や机上の掃除作業に入れる方法を提供できます。
【発明を実施するための最良の形態】
【００１１】
図１の収納粘着掃除具の一部断面図で説明しますと、凹部（１０）の開閉を兼ねる開閉蓋（９）を持った収納箱（８）の取出口（６）付近の左右に取外具（７）を設け、図２の収納粘着掃除具の装着説明図の様に、従来同様に筒形で手の平側に粘着面（５）を成し、手の甲側に剥離面（３）を設けた粘着掃除具（１）の粘着面（５）を底面として任意の数だけ複数重ね合わせて一連の束として扁平圧縮して収納箱（８）内部に収納します。
【００１２】
粘着掃除具の束は、空洞内部（１７）の入口を正面に向けた図３の粘着掃除具一連の束の説明図の様に、粘着掃除具（１）の粘着面（５）を底面として第二粘着掃除具（１１）の剥離面（１３）を下から粘着させ、同様に第三、第四と下から粘着して最後の粘着掃除具の粘着面に剥離紙（１６）を下から粘着して扁平圧縮します。尚、図３と同様に図４から図６も空洞内部（１７）の入口を正面に向けた断面図で表して説明して行きます。
【００１３】
取外具（７）の形状は板状や楔状として、扁平圧縮された上記粘着掃除具の束から一個づつ切り離す剥離作業を行う為、粘着掃除具（１）以下の第二粘着掃除具（１１）が取出口（６）から出難い様に底部面が水平になる様に設定し、更に、粘着掃除具（１）側面の剥離部（２）に取外具（７）の一辺が接する様に、粘着掃除具（１）の空洞内部（１７）の入口を正面に向けて図１の様に粘着掃除具の束を収納箱（８）の内部に収納します。
【００１４】
粘着掃除具（１）の粘着面（５）は、埃や消しゴム粕等の超軽量物を粘着できる粘着力で十分の為、剥離面（１３）も剥げ易くて取外具（７）での剥離作業をし易くし、更に、粘着面（５）保護用の剥離面（１３）の幅や粘着掃除具の束の幅より狭くします。また、剥離部（２）の素材は柔らかい紙や布等を用いて粘着部（４）の素材よりも柔軟で、粘着部（４）は剥離部（２）よりもやや硬めの素材であれば従来と同様の素材も可能です。
【００１５】
剥離紙（１６）はやや厚手で硬めの紙等の素材を用いて、収納箱（８）の取出口（６）付近の左右に設けた取外具（７）同士の間から簡単には出難い形状として、通常は最後の粘着掃除具の粘着面が剥がれた時には収納箱（８）の内部に残っているものとします。
【実施例１】
【００１６】
本例は本願の請求項１の一例で、図３の様に従来より考案されている筒形の本体下部半面に粘着面（５）を成して粘着掃除具（１）の空洞内部（１７）に指（１９）を挿入して本体を保持し、上部半面に剥離面（３）を設けて図２の様に手の平側の粘着面（５）に埃や塵（２０）を吸着させる粘着掃除具（１）の機能と取り出し方法を説明致します。
【００１７】
まず、凹部（１０）を指（１９）で開いて開閉蓋（９）を開き、粘着掃除具（１）を収納した収納箱（８）を図１の様に開封します。開封時の粘着掃除具（１）は扁平圧縮されて一連の固まりになっているので、凹部（１０）から指（１９）を入れて最上部の粘着掃除具（１）の剥離部（２）を摘み上げて図１の様に山形の空洞内部（１７）を作ります。
【００１８】
その空洞内部（１７）に指（１９）を入れて剥離部（２）を引き上げると、左右の取外具（７）によってやや狭くなった収納箱（８）の取出口（６）から変形して剥離部（２）が顔を出すと同時に、空洞内部（１７）の空間が広がり、必然的にそれを補う為、粘着掃除具（１）の粘着面（５）の両脇が第二粘着掃除具（１１）の剥離面（１３）より若干剥がれて隙間が生じ、その隙間に取外具（７）の先端の一部が食い込んで、図４の収納粘着掃除具の取出説明図の様に剥離部（１２）も上昇して取外具（７）に接触します。
【００１９】
更に剥離部（２）を引き上げると、粘着掃除具（１）が取出口（６）から外に出て、同時に第二粘着掃除具（１１）の柔らかい素材の剥離部（１２）の一部も粘着掃除具（１）と一緒に取出口（６）より出ますが、第二粘着掃除具（１１）の粘着面（１５）がその下の第三粘着掃除具（２１）の剥離面（２２）と粘着していて浮上し難くし、更に、取外具（７）が第二粘着掃除具（１１）の上昇を妨げて、図４の様に剥離面（１３）と粘着面（５）の間に生じた隙間より粘着面（５）が剥離面（１３）より次第に剥がれていきます。
【００２０】
完全に粘着面（５）と剥離面（１３）が剥がれる様に剥離部（２）を引き上げると、浮上した山形の剥離部（１２）は、次回、第二粘着掃除具（１１）の取り出し時に使用し、収納箱（８）の中の収納粘着掃除具が有る限り、この収納粘着掃除具取り出し方法の一連の工程を繰り返し行えます。また、使用後は粘着掃除具（１）をＵの字型に内側に向けて粘着面（５）同士を粘着させて、ゴミ箱等の内面に付着する事の無いように処分します。
【００２１】
尚、収納箱（８）の中への粘着掃除具の束の収納方法は、取外具（７）を設置した収納箱（８）の取出口（６）から剥離面（３）が見える様に底部側より挿入した後に底部を閉じるか、取出口（６）から挿入した後に取出口（６）付近に取外具（７）を設置します。更に、収納粘着掃除具が残り少なくて剥離部（２）の引き上げ時に収納箱（８）が軽くて浮く時は、事前に収納箱（８）を重くしたり底部を両面テープ等で固定するか、粘着面の粘着糊を市松模様や水玉模様の様に部分的に設けて粘着力を弱める等の対策をします。
【実施例２】
【００２２】
本例は本願の請求項２の一例で、図５の窪み（１８）使用時の取出１で説明しますと、粘着掃除具（１）の剥離部（２）の一部を交互に折り曲げて瓢箪の様に中央部付近の両脇に窪み（１８）を設け、粘着面（５）を底面にして扁平圧縮した時に両脇に出来る様にして、実施例１の様に複数を一束として扁平圧縮して収納箱（８）の内部に収納します。
【００２３】
窪み（１８）の折り曲げ幅や形状は、粘着面（５）の大きさや剥離部（２）や粘着部（４）の素材や大きさと取外具（７）同士の間隔の幅等の条件により、粘着掃除具（１）が窪み（１８）と取外具（７）によって保持できる最適の大きさと形状に設定します。
【００２４】
粘着掃除具（１）の収納箱（８）への収納方法と取り出し方法は、粘着掃除具（１）の両脇に窪み（１８）を設けた以外は基本的には同様です。その為、主に窪み（１８）の機能を中心に図５と、図６の窪み（１８）使用時の取出２で説明します。
【００２５】
実施例１と同様に、収納箱（８）の開閉蓋（９）を開いて粘着掃除具（１）の剥離部（２）を摘み上げて山形の空洞内部（１７）を作り、指（１９）を挿入して剥離部（２）を引き上げます。ここからは実施例１とは若干異なり、粘着掃除具（１）の折れ曲がった窪み（１８）が延びて変形し、剥離部（２）が取出口（６）から外に出て窪み（１８）が取外具（７）に引っ掛かり、図５の様に剥離部（２）を湾曲させて浮上します。
【００２６】
更に剥離部（２）を引き上げると粘着部（４）が取外具（７）によって変形し、同時に剥離部（１２）も変形して第二粘着掃除具（１１）の折れ曲がった窪み（１８）が延びて変形し、第二粘着掃除具（１１）の空洞内部（１７）が実施例１よりも大きく膨らみ、その結果、収納箱（８）内部の扁平圧縮された一連の固まりが解けて粘着部（４）の自由度を高めて変形し易くし、取外具（７）に妨げながらも図６の様に取出口（６）より剥離部（１２）と一緒に変形して粘着掃除具（１）が収納箱（８）から出し易くなります。
【００２７】
しかし、まだ粘着掃除具（１）の粘着面（５）に剥離面（１３）が粘着していますが、実施例１と同様に第二粘着掃除具（１１）の粘着面（１５）にはその下の第三粘着掃除具（２１）の剥離面（２２）が粘着していて、第二粘着掃除具（１１）全体を変形させて取出口（６）より取り出す程の粘着力は粘着面（５）と剥離面（１３）の間に無いので、図６の様に粘着面（５）と剥離面（１３）の粘着部分が両脇から剥がれていきます。
【００２８】
その時、第二粘着掃除具（１１）の剥離部（１２）が取出口（６）より大きく浮き上がります。この時、実施例１の場合ですとボックスティッシュと同じ様に第二粘着掃除具（１１）以下の粘着掃除具が残り少ないと取出口（６）よりも低くなり、収納箱（８）の深さや取出口（６）の大きさにもよりますが、剥離部（１２）が大変取り難くなります。
【００２９】
その様な状態の時に、第二粘着掃除具（１１）の剥離部（１２）を折り曲げて設けた窪み（１８）が延びて、実施例１とは比較にならないほど第二粘着掃除具（１１）の空洞内部（１７）が膨れて剥離部（１２）の全体が大きく盛り上がり、図６の様に左右の窪み（１８）が左右の取外具（７）に引っ掛かり第二粘着掃除具（１１）を保持し、更に、粘着掃除具（１）の取り出し時に第二粘着掃除具（１１）と同様に若干膨れた第三粘着掃除具（２１）も取外具（７）による第二粘着掃除具（１１）の保持を助けます。
【００３０】
また、第二粘着掃除具（１１）が最後の一個となった場合は、粘着掃除具（１）の取り出し時に単独で軽い第二粘着掃除具（１１）も同時に取出口（６）付近まで上昇し、完全に粘着面（５）と剥離面（１３）が剥がれる時には変形した剥離部（１２）が復元して上記のように、第二粘着掃除具（１１）の窪み（１８）と取外具（７）によって、単独で軽くなった第二粘着掃除具（１１）が取出口（６）付近で収納箱（８）の中に浮いて、剥離部（１２）が大きく弓形に盛り上がり実施例１と同様に次回使用時に取り易くします。
【００３１】
その為、窪み（１８）の素材は剥離部（２）よりは若干粘着部（４）に近いやや硬めの素材として、２〜３個の収納粘着掃除具の束ならば上記の様に窪み（１８）と取外具（７）によって収納箱（８）の中に浮いていられるだけの素材や形状と厚さが理想的です。
【実施例３】
【００３２】
以上の様に実施例１および実施例２の本発明の収納粘着掃除具の取り出し方法は本願の請求項３の一例で、取出口（６）付近に取外具（７）を持った収納箱（８）に収納した粘着掃除具（１１）の剥離面（１３）より粘着面（５）をやや小さくし、剥離面（１３）との粘着箇所に隙間を作り易くして取外具（７）で第二粘着掃除具（１１）の上昇を抑えて分離させ、片手でも簡単に収納箱（８）より粘着掃除具（１）を取り出せる方法です。
【産業上の利用可能性】
【００３３】
最近のノック式シャープペンシルは、その構造上、最後の５ミリ位の芯を残して使用ができなくなります。その為、芯交換の際は机上に残りの芯を落す事が時々あり、その落した小さな芯がなかなか取れないので、取らずにいると本などが擦って机上に芯の筋が残ったり、芯が潰て紙や机上が汚れたりします。また、取らずに払い落すと床が汚れます。
【００３４】
更に、衣服に付いた埃や糸屑などもブラシ等で落しても、空中に散った埃は静電気等に吸い寄せられて再び衣服に付く場合がありますが、その様な時に、本発明の収納粘着掃除具を机上などに置いて置くと、ボックスティッシュの様に片手で簡単に取り出せて、机上に落した芯や消しゴム粕なども綺麗に取り除き、また、衣服に付いた埃や糸屑なども擦らない為、冬場の乾燥時期の静電気の影響もなく簡単に取り除く事ができます。
【図面の簡単な説明】
【００３５】
【図１】収納粘着掃除具の一部断面図
【図２】収納粘着掃除具の装着説明図
【図３】粘着掃除具一連の束の説明図
【図４】収納粘着掃除具の取出説明図
【図５】窪み（１８）使用時の取出１
【図６】窪み（１８）使用時の取出２
【符号の説明】
【００３６】
１  粘着掃除具
２  剥離部
３  剥離面
４  粘着部
５  粘着面
６  取出口
７  取外具
８  収納箱
９  開閉蓋
１０  凹部
１１  第二粘着掃除具
１２  剥離部
１３  剥離面
１４  粘着部
１５  粘着面
１６  剥離紙
１７  空洞内部
１８  窪み
１９  指
２０  埃や塵
２１  第三粘着掃除具
２２  剥離面
【図１】
2008149058.tif 000003
【図２】
2008149058.tif 000004
【図３】
2008149058.tif 000005
【図４】
2008149058.tif 000006
【図５】
2008149058.tif 000007
【図６】
2008149058.tif 000008